(57)【要約】【課題】低消費電力化が可能な可変形状ミラーを備えたファインダの視度調整を、より効率的に制御できるようにした撮像機器及びファインダを提供する。【解決手段】自由曲面レンズ２に対向配置した第１及び第２の可変形状ミラーＡ．Ｂからなる撮影光学系３と、撮像素子４と、可変形状ミラーＡ，Ｂを駆動する第１及び第２のミラードライバ５，６とで構成した撮影部１と、対物レンズ１２と第３及び第４の可変形状ミラーＣ，Ｄとダハプリズム１４と接眼レンズ１５とからなるファインダ光学系１６と、可変形状ミラーＣ，Ｄを駆動する第３及び第４のミラードライバ１６，１７とで構成したファインダ部１とを備え、ファインダ部の視度調整を可変形状ミラーＣの形状変化により行うようにすると共に、視度調整値をフラッシュメモリ２３に記憶しておき、記憶された視度調整値に基づいて可変形状ミラーＣの形状を制御して視度調整を行う。【選択図】　　　　図１
2004126101.tif 000002
【特許請求の範囲】
【請求項１】
画像を撮影する撮影手段と、撮影画像視認用のファインダと、通電によって変形する反射面を有し、該反射面の形状変化によって前記ファインダの視度調整が可能な可変形状ミラーと、前記視度調整に対応する前記可変形状ミラーの形状に係る情報を記憶する記憶手段と、前記記憶された情報に応じて前記可変形状ミラーを所定の形状に制御する制御手段を備えたことを特徴とする撮像機器。
【請求項２】
前記記憶手段は、前記可変形状ミラーの形状に係る情報として複数の形状に係る情報を記憶することを特徴とする請求項１に係る撮像機器。
【請求項３】
前記制御手段は、当該撮像機器の電源オンに応じて、記憶された情報に基づき前記可変形状ミラーを所定の形状に制御することを特徴とする請求項１又は２に係る撮像機器。
【請求項４】
前記制御手段は、当該撮像機器が撮影可能なモードにあるときに、記憶された情報に基づき前記可変形状ミラーを所定の形状に制御することを特徴とする請求項１又は２に係る撮像機器。
【請求項５】
前記ファインダは、非通電状態の前記可変形状ミラーの反射面形状によって視度状態が標準視度状態になるように構成されていることを特徴とする請求項１〜４のいずれか１項に係る撮像機器
【請求項６】
前記ファインダは、光学ファインダであることを特徴とする請求項１〜５のいずれか１項に係る撮像機器。
【請求項７】
前記可変形状ミラーは視度調整と共に、前記撮影手段に備えられた撮影光学系のピント調整に応じて、前記ファインダのピント調整するように構成されたことを特徴とする請求項６に係る撮像機器。
【請求項８】
前記ファインダは複数の可変形状ミラーを備え、前記撮影手段に備えられた撮影光学系の変倍調整に応じて、前記ファインダの変倍調整を行えるように構成したことを特徴とする請求項６又は７に係る撮像機器。
【請求項９】
前記複数の可変形状ミラーは、ミラー形状がそれぞれ凹凸状に逆向きになるように調整されることを特徴とする請求項８に係る撮像機器。
【請求項１０】
画像視認用のファインダにおいて、通電によって変形する反射面を有し、該反射面の形状変化によって前記ファインダの視度調整が可能な可変形状ミラーと、前記視度調整に対応する前記可変形状ミラーの形状に係る情報を記憶する記憶手段と、前記記憶された情報に応じて前記可変形状ミラーを所定の形状に制御する制御手段を備えたことを特徴とするファインダ。
【請求項１１】
画像視認用のファインダにおいて、通電によって変形する反射面を有し、前記反射面の形状変化によって前記ファインダの視度調整が可能な可変形状ミラーを備え、前記ファインダは、非通電状態の前記可変形状ミラーの反射面形状によって視度状態が標準視度状態になるように構成されていることを特徴とするファインダ。
【請求項１２】
画像を撮影する撮影手段と、撮影画像視認用のファインダと、通電によって変形する反射面を有し、該反射面の形状変化によって前記ファインダの視度調整が可能な可変形状ミラーと、該可変形状ミラーを変形させる制御手段を備え、該制御手段は、前記ファインダの使用回避時にはファインダ使用時の視度と異なる不適視度になるように前記可変形状ミラーを制御することを特徴とする撮像機器。
【請求項１３】
前記制御手段は、撮影距離が短いときに、前記不適視度になるように制御することを特徴とする請求項１２に係る撮像機器。
【請求項１４】
前記制御手段は、電子的なズーム手段を用いた撮影のときには、前記不適視度になるように制御することを特徴とする請求項１２に係る撮像機器。
【発明の詳細な説明】
【０００１】
【発明の属する技術分野】
この発明は、電池寿命の長時間化が可能な可変形状ミラーが搭載されたファインダの視度調整が、より効率的に制御できるようにした撮像機器及びファインダに関する。
【０００２】
【従来の技術】
【特許文献１】特開平８−３２８０８５号公報
【特許文献２】特開平１１−３１７８９４号公報
【特許文献３】特開２００２−１２２７８４号公報
【０００３】
一般に、銀塩カメラやデジタルカメラ等の撮像装置においては、撮影時に画像を確認するための光学ファインダやＬＣＤを内蔵したビューファインダが備えられているものが多い。そして、これらファインダには、撮影者の視力の個人差を補正して、鮮明な像を観察できるような視度調整機構が備えられたものがある。視度調整機構には、視度調整用のレンズを手動で移動させる手動タイプと、モータで移動させる電動タイプの２つがある。
【０００４】
また、上記電動タイプに関しては、特開平８−３２８０８５号公報（特許文献１）において、複数の視度値を予めカメラのメモリに記憶させておいて、それを呼び出して簡単に視度調整ができるようにされているものが開示されており、この方式のものは、複数人で一台の機器を使用するときでも、各自の視力に合わせた視度が容易に再現できるという利点が得られるものである。
【０００５】
一方、本件出願人は、撮影系あるいは光学ファインダの光学系の低消費電力化を実現する手段として、特開平１１−３１７８９４号公報（特許文献２）等で、従来のレンズをモータで駆動している方式に代わる新しい方式である、可変形状ミラーを用いた光学系を提案した。次に、上記公報等で提案した可変形状ミラーの一例について、図２７の（Ａ），（Ｂ）に基づいて簡単に説明する。図２７の（Ａ）は平面図で、図２７の（Ｂ）は図２７の（Ａ）のＸ−Ｘ′矢視断面図である。可変形状ミラー１０１　は、図２７の（Ａ），（Ｂ）に示すように、円盤型の基板１０２　の一側面上にリング状支持壁１０３　を突設し、このリング状支持壁１０３　で囲まれた領域内に、三つの周辺電極１０４Ａ，１０４Ｂ，１０４Ｃと一つの中心電極１０４Ｄとからなる固定電極を配設すると共に、リング状支持壁１０３　の開口端にミラー本体１０５　の周辺部を接合固定して構成されている。
【０００６】
三つの周辺電極１０４Ａ，１０４Ｂ，１０４Ｃは、それぞれ略　１２０°の角度範囲毎に配設された円弧状をなす電極板からなっている。また中心電極１０４Ｄは、前記三つの周辺電極１０４Ａ，１０４Ｂ，１０４Ｃの中心部に存在する円形領域内に配設された円板状の電極板からなっている。なお、固定電極のパターンは、図示のものに限らず、種々の形態のものが適用可能である。ミラー本体１０５　は、例えばポリイミド樹脂で形成された円盤状ディスクの外側面に、可動電極と反射部材（ミラー面）とを兼ねたアルミニウムを被着して構成されている。
【０００７】
このように構成されている可変形状ミラー１０１　は、前記固定電極（１０４Ａ〜１０４Ｄ）と可動電極（ミラー本体１０５　）との間に所定の電圧が印加されると、その静電気力によって、反射面（ミラー本体１０５　）の湾曲形状が可変制御される。したがって、外部から反射面が適当な曲率になるように電圧制御するようになっている。
【０００８】
次に、可変形状ミラーの他の構成例を、図２８の（Ａ），（Ｂ）に基づいて説明する。この構成例は、電磁駆動方式の可変形状ミラーであり、図２８の（Ａ）は側面断面図で、図２８の（Ｂ）はミラー本体の裏面側を示す図である。この電磁駆動方式の可変形状ミラー２０１　は、基板２０２　の一側面上にリング状支持壁２０３　を突設し、このリング状支持壁２０３　で囲まれた領域内に複数個の永久磁石２０４　を配設すると共に、リング状支持壁２０３　の開口端にミラー本体２０５　の周辺部を接合固定している。このミラー本体２０５　は、例えばポリイミド樹脂などで変形可能な円盤状ディスクで構成され、その内側面（裏面）には複数個のコイル２０６　が形成されており、またその外側面にはアルミニウムを被着した反射膜２０７　が形成されている。そして、各コイル２０６　には、それぞれリード線を介して外部の駆動回路２０８　から制御電流が供給されるようになっている。
【０００９】
このように構成された可変形状ミラー２０１　のミラー本体２０５　のコイル２０６　に対して、外部の駆動回路２０８　から適宜制御された電流を供給することにより、コイル２０６　に流れる電流と永久磁石２０４　の磁場との間で発生する電磁力による吸引力あるいは反撥力により、ミラー本体２０５　の形状は凹状あるいは凸状に変形するようになっている。
【００１０】
ミラー本体２０５　に設けられているコイル２０６　は、薄膜で形成することにより容易に作成することができると共に、コイル自体の剛性を低減することができるので、ミラー本体２０５　を変形しやすくすることができる。なお、永久磁石をミラー本体側に設け、コイルを基板上に配設して構成することも可能である。また、可変形状ミラーとしては、他にミラー本体に圧電材料を用いて圧電効果により変形させる構成のものなどがある。
【００１１】
このように構成された可変形状ミラーをカメラの光学系内に配置して、印加電圧あるいは電流の制御によって、ミラー本体の曲率を変化させ、合焦や変倍操作を行わせることできる。なお、ミラー本体の形状は円形に限らず楕円形でもよい。そして、このように構成された可変形状ミラーは、従来のモータ駆動のレンズ光学系に比較して低消費電力であり、また従来のモータ駆動のレンズ光学系ではモータ音や伝達系での騒音が大きいが、可変形状ミラーはほぼ無音であるという大きな二つの特徴を備えている。
【００１２】
また、本件出願人は特開２００２−１２２７８４号公報（特許文献３）において、可変形状ミラーを搭載した撮影光学系用の光学構成及び光学ファインダ用の光学構成について、種々の提案をしている。
【００１３】
【発明が解決しようとする課題】
ところで、ファインダにおける電動タイプの視度調整手段は、上記公報開示のように、記憶手段を備えることによって複数人使用が容易になるという利点があるものの、視度調整レンズの移動のための専用モータが必要になり、そのためにファインダの体積が大きくなり、撮像装置の大型化や消費電力の増加につながるという問題があった。
【００１４】
また、光学ファインダ用の光学系に可変形状ミラーが利用される撮像機器では低消費電力効果が発揮され、電池寿命の長時間化が図れるが、ファインダの視度調整機能との対応については新たな制御が必要になる。しかしながら、上記公報開示の従来の提案においては、可変形状ミラーを搭載したファインダにおける視度調整に関する適切な制御については、特に考慮がなされていない。
【００１５】
本発明は、従来の電動タイプの視度調整手段を有するファインダを備えた撮像機器、あるいは上記公報提案の可変形状ミラーを用いた撮像機器における上記問題点を解消するためになされたもので、低消費電力化が可能な可変形状ミラーが搭載されたファインダの視度調整を、より効率的に制御できるようにした撮像機器及びファインダを提供することを目的とする。
【００１６】
【課題を解決するための手段】
上記課題を解決するため、請求項１に係る発明は、画像を撮影する撮影手段と、撮影画像視認用のファインダと、通電によって変形する反射面を有し、該反射面の形状変化によって前記ファインダの視度調整が可能な可変形状ミラーと、前記視度調整に対応する前記可変形状ミラーの形状に係る情報を記憶する記憶手段と、前記記憶された情報に応じて前記可変形状ミラーを所定の形状に制御する制御手段とで撮像機器を構成するものである。
【００１７】
このように構成された撮像機器においては、ファインダの視度調整を行う可変形状ミラーを記憶手段で記憶された情報に応じて形状制御するようにしているので、記憶された情報で適確に効率的に視度調整ができ、小型化並びに低消費電力化された視度調整機能付きファインダを備えた撮像機器を実現することができる。
【００１８】
請求項２に係る発明は、請求項１に係る撮像機器において、前記記憶手段は、前記可変形状ミラーの形状に係る情報として複数の形状に係る情報を記憶することを特徴とするものである。
【００１９】
このように構成された撮像機器においては、可変形状ミラーの複数の形状に係る情報を記憶できるので、ファインダの視度調整を複数の撮影者に対応できるように制御することができる。
【００２０】
請求項３に係る発明は、請求項１又は２に係る撮像機器において、前記制御手段は、当該撮像機器の電源オンに応じて、記憶された情報に基づき前記可変形状ミラーを所定の形状に制御することを特徴とするものである。
【００２１】
このように構成された撮像機器においては、電源オンとすることにより記憶されている情報でファインダの視度調整が行われるので、電源オン後、直ちに撮影動作に入ることができる。なお、ここで記憶されている情報には、工場出荷時の視度調整値のデフォルト値も含まれる。
【００２２】
請求項４に係る発明は、請求項１又は２に係る撮像機器において、前記制御手段は、当該撮像機器が撮影可能なモードにあるときに、記憶された情報に基づき前記可変形状ミラーを所定の形状に制御することを特徴とするものである。
【００２３】
ファインダ画像は撮影動作時にのみ視認できればよいので、上記のように撮影可能モードにあるときに可変形状ミラーの形状制御による視度調整を行うことにより、効率的な節電効果が得られる。
【００２４】
請求項５に係る発明は、請求項１〜４のいずれか１項に係る撮像機器において、前記ファインダは、非通電状態の前記可変形状ミラーの反射面形状によって視度状態が標準視度状態になるように構成されていることを特徴とするものである。
【００２５】
このように構成された撮像機器においては、非通電状態において、可変形状ミラーにより標準視度に視度調整されるので、非通電時においても不明瞭ながらファインダ画像の視認が可能となる。ここで、非通電状態の可変形状ミラーの反射面形状は一般的には平面形状であるが、非平面形状に予め成型処理しておくことも可能である。また標準視度とは平均的な撮影者の視度（メガネ着用者はメガネによる補正状態の視度）を指し、例えば−１ｄｉｏｐ〜−４ｄｉｏｐ程度である。したがって、上記請求項５の発明の内容は、非通電時の可変形状ミラーの反射面形状を、他のレンズ等のファインダ光学系との組み合わせで、−１ｄｉｏｐ〜−４ｄｉｏｐ程度の標準視度となるように設計しておくという趣旨である。
【００２６】
請求項６に係る発明は、請求項１〜５のいずれか１項に係る撮像機器において、前記ファインダは、光学ファインダであることを特徴とするするものである。
【００２７】
上記請求項１〜５のいずれか１項に係る撮像機器におけるファインダとしては、光学ファインダのみならず、ＬＣＤを内蔵したビューファインダも用いることができるものであるが、本請求項６に係る発明のように光学ファインダを用いた場合には、低コストでより低消費電力化を図ることができる。
【００２８】
請求項７に係る発明は、請求項６に係る撮像機器において、前記可変形状ミラーは視度調整と共に、前記撮影手段に備えられた撮影光学系のピント調整に応じて、前記ファインダのピント調整するように構成されたことを特徴とするものである。
【００２９】
このように構成された撮像機器においては、ファインダの視度調整を行う可変形状ミラーが、ファインダのピント調整も行うように構成されているので、ファインダのピント調整により、より鮮明な画像を視認することができる。
【００３０】
請求項８に係る発明は、請求項６又は７に係る撮像機器において、前記ファインダは複数の可変形状ミラーを備え、前記撮影手段に備えられた撮影光学系の変倍調整に応じて、前記ファインダの変倍調整を行えるように構成したことを特徴とするものである。
【００３１】
このように構成された撮像機器においては、ファインダは複数の可変形状ミラーを備えていて、撮影系の変倍調整に応じた変倍調整を行えるように構成されているので、撮影画像の画角と一致した画角の変倍画像をファインダで視認することができる。
【００３２】
請求項９に係る発明は、請求項８に係る撮像機器において、前記複数の可変形状ミラーは、ミラー形状がそれぞれ凹凸状に逆向きになるように調整されることを特徴とするものである。
【００３３】
このように構成された撮像機器においては、ファインダを構成する複数の可変形状ミラーの形状が、それぞれ凹凸状に逆向きになるように調整されるので、ファインダの変倍画像の変倍比を大きくすることができると共に、収差の小さい変倍画像を視認することができる。
【００３４】
請求項１０に係る発明は、画像視認用のファインダにおいて、通電によって変形する反射面を有し、該反射面の形状変化によって前記ファインダの視度調整が可能な可変形状ミラーと、前記視度調整に対応する前記可変形状ミラーの形状に係る情報を記憶する記憶手段と、前記記憶された情報に応じて前記可変形状ミラーを所定の形状に制御する制御手段とでファインダを構成するものである。
【００３５】
このように構成されたファインダにおいては、視度調整を行う可変形状ミラーを記憶手段で記憶された情報に応じて形状制御するようにしているので、記憶された情報で適確に効率的に視度調整ができ、小型化並びに省電力化された視度調整機能付きのファインダを実現することができる。
【００３６】
請求項１１に係る発明は、画像視認用のファインダにおいて、通電によって変形する反射面を有し、前記反射面の形状変化によって前記ファインダの視度調整が可能な可変形状ミラーを備え、前記ファインダは、非通電状態の前記可変形状ミラーの反射面形状によって視度状態が標準視度状態になるように構成されていることを特徴とするものである。
【００３７】
このように構成されたファインダにおいては、非通電状態において、可変形状ミラーにより標準視度に視度調整されるので、非通電時においても不明瞭ながら画像の視認が可能なファインダを実現できる。
【００３８】
請求項１２に係る発明は、画像を撮影する撮影手段と、撮影画像視認用のファインダと、通電によって変形する反射面を有し、該反射面の形状変化によって前記ファインダの視度調整が可能な可変形状ミラーと、該可変形状ミラーを変形させる制御手段を備え、該制御手段は、前記ファインダの使用回避時にはファインダ使用時の視度と異なる不適視度になるように前記可変形状ミラーを制御するようにして撮像機器を構成するものである。
【００３９】
このように構成された撮像機器においては、ファインダの使用回避時にはファインダ使用時の視度と異なる不適視度になるように可変形状ミラーを制御するようになっているので、ファインダの使用が不適切であることの警告を与えることが可能となる。
【００４０】
請求項１３に係る発明は、請求項１２に係る撮像機器において、前記制御手段は、撮影距離が短いときに、前記不適視度になるように制御することを特徴とするものである。
【００４１】
このように構成された撮像機器においては、マクロモード設定後やＡＦ後に撮影距離が短いときには、ファインダは不適視度になるように制御されているので、パララックスが発生した撮影を有効に防止することができる。
【００４２】
請求項１４に係る発明は、請求項１２に係る撮像機器において、前記制御手段は、電子的なズーム手段を用いた撮影のときには、前記不適視度になるように制御することを特徴とするものである。
【００４３】
このように構成された撮像機器においては、電子的ズーム手段を用いた撮影のときには、ファインダは不適視度になるように制御されるので、ファインダ画角と撮影画角とで差が発生する撮影を有効に防止することができる。
【００４４】
【発明の実施の形態】
次に、実施の形態について説明する。図１は、本発明に係る撮像機器の第１の実施の形態を適用したデジタルカメラの全体構成を示す概略ブロック図である。図１において、１は撮像部で、該撮像部１は、自由曲面プリズム２と、該自由曲面プリズム２の背面上部レンズ面に対向して配置した第１の可変形状ミラーＡと、同じく自由曲面プリズム２の前面下部レンズ面に対向して配置した第２の可変形状ミラーＢとからなる撮影光学系３と、自由曲面プリズム２の背面下部レンズ面に対向して配置した撮像素子４と、第１及び第２の可変形状ミラーＡ，Ｂをそれぞれ駆動するための第１のミラードライバ５及び第２のミラードライバ６とで構成されている。なお、上記撮影光学系を構成する第１及び第２の可変形状ミラーＡ，Ｂとしては、ここでは印加電圧で変形形状が制御される静電型のものが用いられているが、電磁駆動型のものも用いることができる。
【００４５】
図１において、１１はファインダ部で、凹レンズと凸レンズとからなる対物レンズ１２と、該対物レンズ１２と対向させて配置した第３の可変形状ミラーＣと、第３の可変形状ミラーＣの反射光を入射する第４の可変形状ミラーＤと、第４の可変形状ミラーＤの反射光を入射する、視線を９０°曲げ正立像を得るための視野絞り１３を備えたダハプリズム１４と、ダハプリズム１４の出射光を入射する接眼レンズ１５とで構成したファインダ光学系１６と、第３及び第４の可変形状ミラーＣ，Ｄを駆動するための第３のミラードライバ１７と第４のミラードライバ１８とを備えている。なお、上記ファインダ光学系１６を構成する第３及び第４の可変形状ミラーＣ，Ｄとしては、印加電流で変形形状が制御される電磁駆動型のもの、又は印加電圧で変形形状が制御される静電型のものが用いられている。
【００４６】
上記実施の形態におけるデジタルカメラの撮像信号処理系及び操作制御系は、カメラの各部の動作を制御するＣＰＵ２１と、電源オンオフボタン、レリースボタン、ズームボタン（光学／電子連動）等を備え、更に視度調整値の入力、視度調整値の切り換え、マクロオンオフ、電子ズームオンオフ操作などを行う操作部２２と、カメラプログラムや各可変形状ミラーの制御データに関するルックアップテーブル（ＬＵＴ）等を格納したフラッシュメモリ２３と、撮像素子４からの撮像信号を処理して画像データを生成する撮像回路２４と、画像データを用いてコントラストＡＦ処理するＡＦ回路２５と、画像データを一時的に記憶するＤＲＡＭ２６と、画像データに各種画像処理を施す画像処理部２７と、画像データを表示する画像表示部２８と、画像データを記録するメモリカード２９等で構成されている。
【００４７】
次に、撮像部１とファインダ部１１の概略動作について説明する。撮影光学系３の自由曲面プリズム２の前面上部レンズ面に入射した軸上入射光線は、背面上部レンズ面を通って第１の可変形状ミラーＡに入射して反射され、その反射光は再び背面上部レンズ面に入射し、前面下部レンズ面を通って第２の可変形状ミラーＢに入射して反射され、その反射光は再び前面下部レンズ面に入射し背面下部レンズ面を通過して、撮像素子４へ入射するようになっている。
【００４８】
ここで、撮影光学系におけるズーム比（変倍）調整は、操作部２２からの指示入力によりＣＰＵ２１を介して制御される、第１及び第２のミラードライバ５，６から各可変形状ミラーＡ，Ｂに印加される電圧によって行われ、またピント（フォーカス）調整は、ＡＦ回路２５からのＡＦ信号に基づいてＣＰＵ２１を介して制御される、第１のミラードライバ５から可変形状ミラーＡに印加される電圧の調整によって行われる。
【００４９】
図２の（Ａ）〜（Ｃ）に、撮影光学系のズーム比調整時の各ズーム比における第１及び第２の可変形状ミラーＡ，Ｂの形状例を示す。図２の（Ａ）は、ズーム比をワイド（広角）値Ｗとするために、第１及び第２の可変形状ミラーＡ，Ｂにそれぞれワイドズーム用電圧ＡＷ　，ＢＷ　が印加されて、ミラー本体がワイド位置に変形されている態様を示しており、また図２の（Ｂ）は、ズーム比を中間値Ｍとするために、第１及び第２の可変形状ミラーＡ，Ｂにそれぞれ中間ズーム用電圧ＡＭ　，ＢＭ　が印加されて、中間位置に変形されている態様を示している。また図２の（Ｃ）は、ズーム比をテレ（望遠）値Ｔとするために、第１及び第２の可変形状ミラーＡ，Ｂにそれぞれテレズーム用電圧ＡＴ　，ＢＴ　が印加されて、テレ位置に変形されている態様を示している。
【００５０】
図３の（Ａ）〜（Ｃ）に、撮影光学系における近点から遠点までのフォーカス調整における第１の可変形状ミラーＡの形状例を示す。図３の（Ａ）は、ズーム比が中間値Ｍにおいてフォーカスを近点（２０ｃｍ）とするために、第１の可変形状ミラーＡに電圧ＡＭ２が印加されて、ミラー本体が近点位置に変形されている態様を示しており、また図３の（Ｂ）は、フォーカスを中間距離（２ｍ）とするために、第１の可変形状ミラーＡに電圧ＡＭ１が印加されて、中間位置に変形されている態様を示しており、また図３の（Ｃ）は、フォーカスを遠点（無限）とするために、第１の可変形状ミラーＡに電圧ＡＭ３が印加されて、遠点位置に変形されている態様を示している。
【００５１】
上記撮影光学系におけるズーム比調整時及びフォーカス調整時に、第１及び第２の可変形状ミラーＡ，Ｂにそれぞれ印加される電圧の特性曲線を図４に示す。図４において実線は第１の可変形状ミラーＡへの印加電圧カーブを示しており、点線は第２の可変形状ミラーＢへの印加電圧カーブを示している。これらの印加電圧特性曲線の各電圧値（電圧データ）は、ルックアップテーブルの形態でフラッシュメモリ２３に記憶されている。ルックアップテーブルの電圧値（電圧データ）としては、全ズーム比あるいは全フォーカス位置における各電圧値を全て対応させて記憶しておいてもよいが、メモリ節約のために、主要なポイントのズーム比・フォーカス位置に対応する電圧値のみを記憶させておいて、主要ポイント以外の各ポイントに対応する電圧値は、補間により算出するようにしてもよい。また上記電圧値として、各可変形状ミラーの各固定電極（例えば４個）毎に別々の電圧値を記憶させておいてもよいが、やはりメモリ節約のために、各固定電極間の印加電圧の偏差が一定である場合には、例えば中央領域に配置した電極への印加電圧値だけを記憶させておいて、他の電極（例えば３個）への印加電圧値は演算により算出するようにしてもよい。
【００５２】
次に、ファインダ部の概略動作について説明する。ファインダ部１１においては、対物レンズ１２に入射した軸上入射光線は、第３の可変形状ミラーＣに入射して反射され、その反射光は第４の可変形状ミラーＤに入射して反射され、その反射光は視野絞り１３を介してダハプリズム１４に入射し、９０°曲げられて正立像として出射され、接眼レンズ１５を介して使用者の瞳１９へ入射するようになっている。
【００５３】
ここで、ファインダ光学系１６におけるズーム比調整は、撮影光学系のズーム比調整と同様に、操作部２２からの指示入力によりＣＰＵ２１を介して制御される、第３及び第４のミラードライバ１７，１８からの第３及び第４の可変形状ミラーＣ，Ｄへの印加電流又は電圧の調整により行われる。すなわち、第３及び第４の可変形状ミラーＣ，Ｄとして電磁駆動型のものを用いている場合は、それらに印加する電流調整により、静電型のものを用いている場合は、それらに印加する電圧調整により行われる。またフォーカス調整は、撮影光学系のフォーカス調整と同様に、ＡＦ回路２５からのＡＦ信号に基づいてＣＰＵ２１を介して制御される、第３のミラードライバ１７からの第３の可変形状ミラーＣへの印加電流の調整（電磁駆動型の場合）、又は印加電圧の調整（静電型の場合）により行われる。また、ファインダ光学系１６の視度調整は、可変形状ミラーＣへの印加電流又は印加電圧の調整によって、可変形状ミラーＣ以外の他の光学系との組み合わせで、各撮影者の視力に対応した所定の視度調整値になるように視度調整が行われる。
【００５４】
図５の（Ａ），（Ｂ）に、ファインダ光学系１６の可変形状ミラーＣ，Ｄとして電磁駆動型のものを用いている場合において、ズーム比調整時のズーム比両端における第３及び第４の可変形状ミラーＣ，Ｄの形状例を示す。図５の（Ａ）は、ズーム比をワイド値Ｗとするために、第３及び第４の可変形状ミラーＣ，Ｄにそれぞれワイドズーム用電流ＣＷＩ，ＤＷＩが流されて、ミラー本体がワイド位置に変形されている態様を示しており、また図５の（Ｂ）は、ズーム比をテレ値Ｔとするために、第３及び第４の可変形状ミラーＣ，Ｄにそれぞれテレズーム用電流ＣＴＩ，ＤＴＩが印加されて、テレ位置に変形されている態様を示している。このようにズーム比調整時に、第３及び第４の可変形状ミラーＣ，Ｄのミラー本体の形状を、それぞれ凹凸状に逆向きになるように調整することにより、ズーム比を大きくすることができ、また収差の小さい変倍画像を視認することができる。
【００５５】
図６の（Ａ）〜（Ｃ）に、ファインダ光学系における近点から遠点までのフォーカス調整における第３の可変形状ミラーＣ（電磁駆動型の場合）の形状例を示す。図６の（Ａ）は、ズーム比を中間値Ｍとした場合においてフォーカスを近点（２０ｃｍ）とするために、第３の可変形状ミラーＣに電流ＣＭＩ２　が流されて、近点位置に変形されている態様を示しており、また図６の（Ｂ）は、フォーカスを中間距離（２ｍ）とするために、第３の可変形状ミラーＣに電流ＣＭＩ１　が流されて、中間位置に変形されている態様を示しており、また図６の（Ｃ）は、フォーカスを遠点（無限）とするために、第３の可変形状ミラーＣに電流ＣＭＩ３　が流されて、遠点位置に変形されている態様を示している。
【００５６】
また図７の（Ａ），（Ｂ）に、ファインダ光学系における視度調整における第３の可変形状ミラーＣ（電磁駆動型の場合）の形状例を示す。図７の（Ａ）は、ズーム比を中間値Ｍとした場合において、他の光学系と組み合わせて視度を＋１ｄｉｏｐに補正するため、第３の可変形状ミラーＣに電流ＣＤＩ１　が流されて変形されている態様を示しており、また図７の（Ｂ）は視度を−６ｄｉｏｐに補正するため、第３の可変形状ミラーＣに電流ＣＤＩ２　が流されて変形されている態様を示している。
【００５７】
なお、非通電時においても、不明瞭ながらファインダ画像を視認できるように、非通電時における第３の可変形状ミラーＣのミラー本体の形状は、他のファインダ光学系との組み合わせで、標準視度状態となるように構成されている。非通電状態における可変形状ミラーのミラー本体の形状は、一般的には平面形状であるが、非平面形状に予め成型処理しておくこともできる。また標準視度とは平均的な撮影者の視度で、例えば−１ｄｉｏｐ〜−４ｄｉｏｐ程度である。
【００５８】
上記ファインダ光学系におけるズーム比調整時及びフォーカス調整時に、第３及び第４の可変形状ミラーＣ，Ｄにそれぞれ印加される電流の特性曲線、並びに視度調整値範囲を図８に示す。図８において実線は第３の可変形状ミラーＣへの印加電流カーブを示しており、点線は第４の可変形状ミラーＤへの印加電流カーブを示している。これらの印加電流特性曲線の各電流値（電流データ）は、撮影光学系の第１及び第２の可変形状ミラーＡ，Ｂへの印加電圧値と同様に、ルックアップテーブルの形態でフラッシュメモリ２３に記憶されている。また、視度調整に関しては、実際の調整ポイントが５〜６点程度ですむので、上記ズーム比調整及びフォーカス調整時の電流データを補正するための補正値として、その視度調整用の電流補正データを別のルックアップテーブルの形態で記憶させておく。
【００５９】
次に、ファインダ光学系１６の第３及び第４の可変形状ミラーＣ，Ｄとして静電型のものを用いた場合における、ズーム比調整時のズーム比両端における変形形状例について説明する。図９の（Ａ）は、ズーム比をワイド値Ｗとするために、第３及び第４の可変形状ミラーＣ，Ｄにそれぞれワイドズーム用電圧ＣＷＶ，ＤＷＶが印加されて、ミラー本体がワイド位置に変形されている態様を示しており、図９の（Ｂ）は、ズーム比をテレ値Ｔとするために、第３及び第４の可変形状ミラーＣ，Ｄにそれぞれテレズーム用電圧ＣＴＶ，ＤＴＶが印加されて、テレ位置に変形されている態様を示している。
【００６０】
図１０の（Ａ）〜（Ｃ）に、ファインダ光学系における静電型の第３の可変形状ミラーＣの、近点から遠点までのフォーカス調整における変形形状例を示す。図１０の（Ａ）は、ズーム比を中間値Ｍとした場合においてフォーカスを近点（２０ｃｍ）とするために、第３の可変形状ミラーＣに電圧ＣＭＶ２　が印加されて、近点位置に変形されている態様を示しており、また図１０の（Ｂ）は、フォーカスを中間距離（２ｍ）とするために、第３の可変形状ミラーＣに電圧ＣＭＶ１　が印加されて、中間位置に変形されている態様を示しており、また図１０の（Ｃ）は、フォーカスを遠点（無限）とするために、第３の可変形状ミラーＣに電圧ＣＭＶ３　が印加されて、遠点位置に変形されている態様を示している。
【００６１】
また図１１の（Ａ），（Ｂ）に、ファインダ光学系における視度調整における第３の可変形状ミラーＣ（静電型の場合）の形状例を示す。図１１の（Ａ）は、ズーム比を中間値Ｍとした場合において、他の光学系と組み合わせて視度を＋１ｄｉｏｐに補正するため、第３の可変形状ミラーＣに電圧ＣＤＶ１　が印加されて変形されている態様を示しており、また図１１の（Ｂ）は、視度を−６ｄｉｏｐに補正するため、第３の可変形状ミラーＣに電圧ＣＤＶ２　が印加されて変形されている態様を示している。
【００６２】
上記ファインダ光学系において静電型の第３及び第４の可変形状ミラーＣ，Ｄを用いた場合におけるズーム比調整時及びフォーカス調整時に、各ミラーＣ，Ｄにそれぞれ印加される電圧の特性曲線、並びに視度調整値範囲を図１２に示す。図１２において実線は第３の可変形状ミラーＣへの印加電圧カーブを示しており、点線は第４の可変形状ミラーＤへの印加電圧カーブを示している。これらの印加電圧特性曲線の各電圧値（電圧データ）は、撮影光学系の第１及び第２の可変形状ミラーＡ，Ｂへの印加電圧値と同様に、ルックアップテーブルの形態でフラッシュメモリ２３に記憶されている。また、視度調整に関しては、電磁駆動型の場合と同様に、ズーム比調整及びフォーカス調整時の電圧データを補正するための補正値として、その視度調整用の電圧補正データを別のルックアップテーブルの形態で記憶させておく。
【００６３】
次に、撮像部１及びファインダ部１１を含めたデジタルカメラ全体の動作について説明する。まず、図１３に示すフローチャートに基づいて記録動作に至るまでのズーム調整及びＡＦ制御について説明する。図１３のフローチャートはメインルーチンを示すもので、デジタルカメラの動作モードが撮影モードではない再生モードの場合には、撮影部１の光学系３やファインダ部１１の光学系１６は使用しないので、まず電源がＯＮすると動作モードが撮影モードであるか否かの判定が行われる（ステップＳ１）。動作モードが撮影モードの場合は、撮影光学系３及びファインダ光学系１６に用いられている第１〜第４の可変形状ミラーＡ〜Ｄの初期設定が行われ（ステップＳ２）、動作モードが撮影モードでない場合は、再生処理が実行される（ステップＳ３）。
【００６４】
撮影光学系３及びファインダ光学系１６の初期設定においては、ズーム機能付きのデジタルカメラでは、通常最初は視野をなるべく広く入れるのが望ましいので、ズームは広角とし、物体距離（フォーカス）は中葉の２ｍを取りあえず自動的に設定し（デフォルト設定）、それに応じて撮影光学系及びファインダ光学系の第１〜第４の可変形状ミラーＡ〜Ｄをそれぞれ通電制御する。
【００６５】
撮影光学系３及びファインダ光学系１６のそれぞれの可変形状ミラーの初期設定が行われた後は、次いでズーム操作を行うか否かの判定が行われ（ステップＳ４）、ズーム操作が行われる場合は、第１のミラー制御１のサブルーチン動作に入る（ステップＳ５）。この第１のミラー制御１のサブルーチン動作では、図１４のフローチャートに示すように、画像表示部２８のＬＣＤで画像が表示されている場合は、その表示画像で撮影画像が確認されていて、したがって光学ファインダは使用しなくてよいものと想定されるので、まず画像表示部２８用のＬＣＤがＯＦＦされているか否かの判定が行われる（ステップＳ５−１）。
【００６６】
この判定ステップで画像表示部２８のＬＣＤがＯＦＦの場合は、撮影光学系用可変形状ミラーＡ，Ｂと共にファインダ光学系用可変形状ミラーＣ，Ｄに対して、設定されたズーム比に対応したズーム調整用の通電を行う（ステップＳ５−２）。一方、画像表示部２８のＬＣＤがＯＮの場合は、ファインダ光学系用可変形状ミラーＣ，Ｄは動作させる必要がないので、撮影光学系用可変形状ミラーＡ，Ｂに対してのみ、ズーム調整用の通電を行う（ステップＳ５−３）。これらの動作で第１のミラー制御１のサブルーチンの動作を終了して、再びメインルーチンに戻る。
【００６７】
上記ズーム調整時において、撮影光学系用可変形状ミラーＡ，Ｂ及びファインダ光学系用可変形状ミラーＣ，Ｄのいずれにも静電型のものが用いられている場合には、各可変形状ミラーＡ〜Ｄへの通電は、次のようにして行われる。すなわち、図１５のタイミングチャートに示すように、ズームレバー又はズームボタンによりズーム操作が行われると、その操作に対応するズーム比に応じて、撮影光学系及びファインダ光学系用の各可変形状ミラーに対して通電（電圧印加）が行われる。その際、各可変形状ミラーＡ〜Ｄに対して通電時間（タイミング）が重複しないように順次ずらして通電を行うようにし、広角から望遠に向けて各ズーム比に応じて通電量を、各可変形状ミラーＡ〜Ｄへの通電量Ｅａ１，Ｅｂ１，Ｅｃ１，Ｅｄ１からＥａ２，Ｅｂ２，Ｅｃ２，Ｅｄ２に示すように順次大にして行き、通電量Ｅａｎ，Ｅｂｎ，Ｅｃｎ，Ｅｄｎで設定ズーム比に対応する最終形状が得られるようにする。このようにズーム調整時における各可変形状ミラーへの通電（電圧印加）を制御することにより、ピーク電流の増加を防止することができる。
【００６８】
なお、上記各可変形状ミラーへの通電時間をずらした分割駆動方式は、静電型の可変形状ミラーを適用した場合にのみ実施するものとする。したがって、撮影光学系及びファインダ光学系用の各可変形状ミラーＡ〜Ｄとして電磁駆動型のものを用いている場合には、ズームレバー等で設定されたズーム比に対応した電流が、各可変形状ミラーＡ〜Ｄに同時に、次のＡＦ制御を経て撮影動作が終了するまで連続して印加されることになる。
【００６９】
再び図１３に示９メインルーチンのフローチャートに戻って、引き続く動作について説明する。第１のミラー制御１のサブルーチンステップＳ５の動作が終了すると、各可変形状ミラーとして静電型のものを用いている場合には、次に第１のミラー制御１のサブルーチン動作におけるズーム操作用の通電が終了してから、所定時間が経過しているか否かの判定が行われる（ステップＳ６）。上記ズーム操作が行われるか否かの判定ステップＳ４において、ズーム操作が行われない場合は、サブルーチンステップである第１のミラー制御１の動作ステップＳ５が省略され、この場合も、上記所定時間経過の判定が行われる。つまり、撮影光学系用及びファインダ光学系用の可変形状ミラーの初期設定のための通電後所定時間経過しているか否かの判定が行われる。
【００７０】
この所定時間経過の判定を行うのは、次の理由による。すなわち、静電型の可変形状ミラーの場合、所定形状に変形するための電圧を印加したのち、その電圧印加を中止すると、時間経過と共に電荷もれが生じ、ミラー本体の所定の変形形状が保持できなくなるので、所定の変形形状を許容値範囲内に保持しておくためには、電圧印加を所定時間間隔で繰り返し行う必要があるからである。
【００７１】
上記所定時間経過の判定ステップＳ６で、通電中止後所定時間（この例では５秒）が経過している場合は、第２のミラー制御２のサブルーチン動作に入る（ステップＳ７）。この第２のミラー制御２のサブルーチンは、図１６のフローチャートに示すように、上記第１のミラー制御１のサブルーチンの動作と同様に、まず画像表示部２８のＬＣＤがＯＦＦされているか否かの判定が行われる（ステップＳ７−１）。この判定ステップＳ７−１で画像表示部２８のＬＣＤがＯＦＦの場合は、撮影光学系用可変形状ミラーＡ，Ｂと共にファインダ光学系用可変形状ミラーＣ，Ｄに対して、ミラー保持用の通電を行う（ステップＳ７−２）。一方、画像表示部２８のＬＣＤがＯＮの場合は、ファインダ光学系用可変形状ミラーＣ，Ｄは動作させていないので、撮影光学系用可変形状ミラーＡ，Ｂに対してのみ、ミラー保持用の通電を行う（ステップＳ７−３）。これらの動作で第２のミラー制御２のサブルーチン動作を終了して、再びメインルーチンのフローに戻る。
【００７２】
上記静電型の各可変形状ミラーＡ〜Ｄの形状保持用の通電（電圧印加）は、次のようにして行われる。すなわち、図１７に示すように、各可変形状ミラーＡ〜Ｄに対して、それぞれ最終変形形状用電圧Ｅａｎ，Ｅｂｎ，Ｅｃｎ，Ｅｄｎを、各可変形状ミラーＡ〜Ｄへの通電時間が重複しないように順次ずらして印加するようにすると共に、この態様での各可変形状ミラーＡ〜Ｄの電圧印加を所定の通電タイミング間隔Ｔ１　（この例では５秒）で繰り返し行うようにする。これにより、保持用通電時においてもピーク電流の増加を防止することができる。
【００７３】
また、ファインダ光学系用の可変形状ミラーを所定変形形状に保持しておく重要性は、撮影光学系用可変形状ミラーの所定変形形状保持の重要性より低く、その許容範囲は撮影光学系用可変形状ミラーより大きくとれるものと想定されるので、図１８に示すように、例えば通電タイミング間隔（通電頻度）を撮影光学系用可変形状ミラーの２倍（この例では１０秒）にすることも可能であり、これにより、更に電力消費の低減を図ることができる。
【００７４】
なお、上記所定時間経過の判定ステップＳ６及び第２のミラー制御２のサブルーチン動作ステップＳ７は、上記のように撮影光学系用及びファインダ光学系用可変形状ミラーＡ〜Ｄとして静電型のものを用いた場合にのみ実施するものとする。したがって、これらの可変形状ミラーＡ〜Ｄとして電磁駆動型のものを用いている場合には、これらの所定時間経過判定ステップＳ６及び第２のミラー制御２のサブルーチン動作ステップＳ７は省略される。
【００７５】
再び図１３に示すメインルーチンのフローチャートに戻って、引き続く次の動作について説明する。第２のミラー制御２のサブルーチンステップＳ７の動作が行われたのちは、１ｓｔレリースの操作が行われたか否かの判定が行われる（ステップＳ８）。先の所定時間経過判定ステップＳ６において、所定時間経過していない場合も、第２のミラー制御２のサブルーチンステップＳ７を飛び越して、上記１ｓｔレリース操作の判定ステップＳ８に移行する。なお、可変形状ミラーＡ〜Ｄとして電磁駆動型のものを用いていて、所定時間経過判定ステップＳ６及び第２のミラー制御２のサブルーチンステップＳ７が省略される場合も、この１ｓｔレリース操作の判定ステップＳ８に移行する。
【００７６】
この１ｓｔレリース操作がなされると、カメラの撮影・準備開始ということで、ＡＦ制御のサブルーチン動作が開始される（ステップＳ９）。なお、１ｓｔレリース操作が行われない場合は、ステップＳ４に戻り、１ｓｔレリース操作が行われるまで、ステップＳ４からステップＳ８までの動作が繰り返される。
【００７７】
ＡＦ制御には、山登りＡＦ方式と測距ＡＦ方式とがあるが、山登り方式のＡＦ制御を用いている場合は、図１９の（Ａ）に示すように、ＡＦ制御では直接的には撮像光学系のみを制御すればよいので、撮影光学系用の可変形状ミラーＡによるＡＦ制御を行う（ステップＳ９−１１）。したがって、この山登り方式のＡＦ制御期間中、つまり合焦検出中はファインダ光学系用可変形状ミラーには通電を行わない。この山登り方式のＡＦ制御では、撮影光学系用可変形状ミラーを無限遠位置から至近方向に向かって物体距離が少しづつ変化するように、その形状を変化させ（図４に示した印加電圧カーブに対応した印加電圧を用いる）、それぞれの物体距離で撮影された画像のコントラスト値を記憶し、コントラストがピーク値となったような物体距離を合焦位置と判断し、撮影光学系用可変形状ミラーＡを前記物体距離で合焦するような形状にする。次いで、ファインダ光学系用の可変形状ミラーＣに、前記山登り方式のＡＦ制御で合焦と判断された物体距離に対応する電圧又は電流（図１２又は図８に示した電圧カーブ又は電流カーブに対応する電圧又は電流）を印加して、ファインダ光学系用可変形状ミラーＣのＡＦ制御を行う（ステップＳ９−１２）。
【００７８】
一方、測距方式のＡＦ制御を用いている場合には、図１９の（Ｂ）に示すように、撮像機器（デジタルカメラ）に備えた測距センサ（図示せず）の出力により、物体距離を検出し（ステップＳ９−２１）、検出された物体距離に対する電圧を撮影光学系用可変形状ミラーＡに印加してＡＦ制御する（ステップＳ８）。次いで、同じく検出された物体距離に対応するする電圧又は電流をファインダ光学系用可変形状ミラーＣに印加してＡＦ制御する（ステップＳ９−２３）。なお、検出された物体距離に対応するＡＦ制御は、撮影光学系、ファインダ光学系用可変形状ミラーのいずれが先であってもかまわない。
【００７９】
なお、上記ＡＦ制御においても、画像表示部２８のＬＣＤでスルー画像が表示されている場合は、光学ファインダ部は使用する必要がないので、ファインダ光学系用可変形状ミラーのＡＦ制御動作は行わないようにする。また、上記ＡＦ制御において、ファインダ光学系用可変形状ミラーＣのＡＦ制御には、ズーム調整に伴うピントずれの補正も合わせて行うようにしてもよい。
【００８０】
上記ＡＦ制御動作が終了すると、再びメインルーチンに戻って、２ｎｄレリース操作がなされたか否かの判定が行われ（ステップＳ１０）、この２ｎｄレリース操作がなされていない場合は、その操作が行われるまで待機する。２ｎｄレリース操作がなされると、撮影動作が行われ（ステップＳ１１）、撮影画像の記録が行われる（ステップＳ１２）。
【００８１】
次に、図１３に示したズーム調整及びＡＦ制御と並行して行われる視度調整動作について、図２０のフローチャートに基づいて説明する。視度調整は、電源がオンされると、先に図１３に示したズーム調整及びＡＦ制御の動作においては説明を省略したが、ＣＰＵ等の各部の動作状態が正常であることのチェックを行い、各部を初期状態に設定する初期処理を行う（ステップＳ２１）。次に撮影モードでない再生モードの場合は、視度調整は不要なので、ズーム調整の場合と同様に、動作モードが撮影モードであるか否かの判定を行い（ステップＳ２２）、撮影モードでない場合は再生処理動作に移行する（ステップＳ２３）。
【００８２】
動作モードが撮影モードである場合は、次に、視度調整値は各撮影者固有のものであるので、前回の視度調整値の有無の判定が行われ（ステップＳ２４）、前回の視度調整値がないという場合は、工場出荷時のみと想定されるので、その場合はルックアップテーブルとして記憶されている表１のＮｏ．１に示すデフォルト値（例えば−１ｄｉｏｐ）を読み出す（ステップＳ２５）。前回の視度調整値がある場合には、同じくルックアップテーブルとして記憶されている表１のＮｏ．２から前回の視度調整値（例えば＋１ｄｉｏｐ）を読み出す（ステップＳ２６）。次いで、上記読み出し視度調整値に応じた視度調整を含んだ可変形状ミラーＣの初期設定を行う（ステップＳ２７）。なお、この初期設定におけるズームは広角とし、物体距離は２ｍとする。
【００８３】
【表１】
2004126101.tif 000003
【００８４】
次に、初期設定時に読み出された視度調整値を他の記憶されている視度調整値（ユーザ指定の既存値）に切り換える操作を行うか否かの判定を行う（ステップＳ２８）。この切り換え操作を行う場合は、表１のＮｏ．３に示される所定の切り換え値（例えば−３ｄｉｏｐ）に視度調整を行う（ステップＳ２９）。次に、新規の視度調整値の入力操作を行うか否かの判定を行う（ステップＳ３０）。前記視度調整値切り換え操作判定ステップＳ２８において、視度調整値の切り換え操作を行わない場合も、この入力操作判定ステップＳ３０の判定動作が行われる。この新規の視度調整値の入力操作を行う場合は、新たな入力値を操作部から入力し視度調整を行い（ステップＳ３１）、新規の視度調整値（例えば−１ｄｉｏｐ）を表１のＮｏ．４に記憶する（ステップＳ３２）。なお、視度調整値の切り換え操作も新たな入力操作もしない場合は、初期設定のままとする。
【００８５】
次に、左側のフローチャートから右側のフローチャートに移り、撮影モードにおいて、電子ズームが用いられている場合やマクロ撮影の場合は光学ファインダの使用が不適となるので、撮影モードが電子ズームモードであるか否かの判定を行い（ステップＳ３３）、電子ズームモードでない場合は、次いでマクロ撮影モードでないか否かの判定が行われる（ステップＳ３４）。電子ズームモードの場合やマクロ撮影モードの場合は、光学ファインダの使用が不適であることを警告するため、視度を極端にずれた異常状態に設定して、わざと見ずらい状態にする（ステップＳ３５）。この場合の異常視度状態としては、例えば標準視度−１ｄｉｏｐに対して５ｄｉｏｐ増の４ｄｉｏｐ程度（極端な遠視状態）、あるいは−１０ｄｉｏｐ程度（極端な近視状態）にする。なお、上記マクロ撮影モードの判定ステップＳ３４の代わりに、測距手段によって距離が短い（例えば１ｍ以内）か否かの判定を行うステップに代えてもよい。
【００８６】
上記電子ズームモードの判定ステップＳ３３及び、マクロ撮影モードの判定ステップＳ３４において、電子ズームモードやマクロ撮影モードでない場合は、異常視度設定ステップＳ３５を経由していて、それらのモードが解除された場合が含まれており、そのような場合には、視度値を元の状態に戻す必要があるので、視度が極端なずれた異常状態にある場合は元の設定視度調整値に戻すという動作を行わせる（ステップＳ３６）。
【００８７】
次いで、レリース操作がなされたか否かの判定が行われ（ステップＳ３７）、レリース操作が行わない場合は、ステップＳ２８へ戻り、ステップＳ２８からステップＳ３６までの動作を、レリース操作が行われるまで繰り返される。レリース操作が行われると、撮影が行われる（ステップＳ３８）。次いで、電源オフ操作が行われたか否かの判定が行われ（ステップＳ３９）、電源オフ操作が行われない場合は、ステップＳ２８へ戻り、ステップＳ２８からステップＳ３８まで、電源オフ操作が行われるまで繰り返される。電源オフ操作が行われると、現在（最終）の視度調整値を表１のＮｏ．２に記憶して、視度調整動作を終了する（ステップＳ４０）。
【００８８】
これにより、電源オフ時の前回の視度調整値が記憶されているので、次に再度電源がオンされると、ファインダの視度は記憶されている前回の視度調整値に設定され、すぐに用いることができる。また、上記表１には、既存値として単一の視度調整値を記憶させているものを示しているが、既存値として、複数の撮影者用の視度調整値を記憶させておくこともでき、これにより複数の撮影者の視度調整に対応させることができる。
【００８９】
次に、第２の実施の形態について説明する。この実施の形態は、ファインダ部を、図２１の（Ａ），（Ｂ）に示すように、２個の可変形状ミラーを用いる代わりに単一の可変形状ミラーを用いて構成したもので、その他の構成は図１に示した第１の実施の形態とほぼ同じである。図２１の（Ａ）はファインダ部の正面図で、図２１の（Ｂ）はその側面図であり、図１に示した第１の実施の形態と同一又は対応する部材には、同一符号を付して示している。
【００９０】
この実施の形態のファインダ部３１は、対物レンズ１２と、第１のプリズム３２と、視野絞り１３と、第２のプリズム３３と、可変形状ミラーＣと、接眼レンズ１５と、ＣＰＵで制御され可変形状ミラーＣを駆動するミラードライバ１７とで構成されている。そして、対物レンズ１２を通った入射光は、第１のプリズム３２に入射して下方に向けて反射され、その反射光は更に視野絞り１３を介して第２のプリズム３３に入射して反射され、その反射光は可変形状ミラーＣに入射し、その反射光は接眼レンズ１５を通して撮影者の瞳１９に入射するようになっている。
【００９１】
この実施の形態では、可変形状ミラーＣを１個のみ用いているので、ズーム操作は行えないが、可変形状ミラーＣの変形形状の調整によりフォーカス調整（ピント補正）及び視度調整を行うことができる。フォーカス調整は、図８又は図１２に示すように、可変形状ミラーＣに印加する電流（電磁駆動型）又は電圧（静電型）の調整による、ミラー本体の形状調整により行われる。また視度調整も、フォーカス調整と同様に、可変形状ミラーＣに印加する電流又は電圧の調整による形状調整により行われる。図２２の（Ａ），（Ｂ）は、静電型の可変形状ミラーを用いた場合における可変形状ミラーＣの変形形状に対応するフォーカス調整値と視度調整値との対応関係を示す図である。図２２の（Ａ）は、フォーカスを近点位置（２０ｃｍ）とした形態が、他の光学系との組み合わせによる視度＋１ｄｉｏｐに対応しており、図２２の（Ｂ）はフォーカスを遠点位置（無限）とした形態が視度−６ｄｉｏｐに対応していることを示している。
【００９２】
次に、第３の実施の形態を図２３に基づいて説明する。この実施の形態は、ファインダ部の構成を単一の可変形状ミラーを用いてズーム操作も行えるように構成したもので、その他の構成は図１に示したものとほぼ同じである。図２３は、ファインダ部の側面図で、図１に示した第１の実施の形態と同一又は対応する部材には、同一符号を付して示している。
【００９３】
この実施の形態のファインダ部４１は、入射凹レンズ４２と移動レンズ群４３と可変形状ミラーＣとからなる対物レンズ群４４と、視野絞り１３と、第３のプリズム４５と、第４のプリズム４６と、接眼レンズ１５と、ＣＰＵで制御され移動レンズ群４３を駆動するレンズ駆動部４７と、ＣＰＵで制御され可変形状ミラーＣを駆動するミラードライバ１７とで構成されている。そして、入射凹レンズ４２を通った入射光は、移動レンズ群４３を通って可変形状ミラーＣに入射し、その反射光は絞り１３を介して第３のプリズム４５及び第４のプリズム４６を通り、更に、接眼レンズ１５を通って撮影者の瞳１９に入射するようになっている。
【００９４】
この実施の形態では、移動レンズ群４３によりズーム比調整を行い、可変形状ミラーＣによりフォーカス調整、ズーム調整によるピント補正並びに視度調整を行うことができるようになっている。可変形状ミラーＣによるフォーカス調整、あるいはズーム調整に伴うピント補正は、図８又は図１２に示すように、可変形状ミラーＣに印加する電流（電磁駆動型）又は電圧（静電型）の調整による、ミラー本体の形状調整により行われる。また視度調整も、フォーカス調整と同様に、可変形状ミラーＣに印加する電流又は電圧の調整による形状調整により行われる。図２４の（Ａ），（Ｂ）は、静電型の可変形状ミラーＣを用いた場合における可変形状ミラーＣの変形形状に対応するフォーカス調整値と視度調整値との対応関係を示す図である。図２４の（Ａ）は、フォーカスを近点位置（２０ｃｍ）とした形態が、他の光学系との組み合わせによる視度＋１ｄｉｏｐに対応しており、図２４の（Ｂ）はフォーカスを遠点位置（無限）とした形態が視度−６ｄｉｏｐに対応していることを示している。
【００９５】
なお、上記第３の実施の形態においても、撮影光学系の可変形状ミラーＡ，Ｂとして静電型のものを用いた場合における各可変形状ミラーへの電圧印加を時間的にずらす分割駆動や、変形形状保持時の間欠駆動方式は、第１の実施の形態と同様に用いることができる。
【００９６】
次に、第４の実施の形態を図２５に基づいて説明する。この実施の形態は、ファインダ部をビューファインダで構成したもので、その他の構成は図１に示した第１の実施の形態と同様である。図２５は、ファインダ部の側面図で、図１に示した第１の実施の形態と同一又は対応する部材には同一符号を付して示している。この実施の形態のファインダ部５１は、撮影被写体のスルー画像を表示するＬＣＤ等からなる表示部５２と、第３の可変形状ミラーＣと、接眼レンズ１５と、ＣＰＵで制御され可変形状ミラーＣを駆動する第３のミラードライバ１７とで構成されている。
【００９７】
そして、このように構成されたファインダ５１においては、表示部５２で表示された被写体のスルー画像は、可変形状ミラーＣに入射し、その反射光は接眼レンズ１５を通って撮影者の瞳１９に入射する。このファインダ５１における視度調整は、ＣＰＵで制御されるミラードライバ１７による可変形状ミラーＣへの印加電流又は電圧の調整により行われるようになっており、図２６の（Ａ），（Ｂ）は、静電型の可変形状ミラーＣを用いた場合における可変形状ミラーＣの変形形状と視度調整値との対応関係を示す図である。図２６の（Ａ）は、接眼レンズ１５との組み合わせによる視度＋１ｄｉｏｐに対応する可変形状ミラーＣの形状を示しており、図２６の（Ｂ）は、視度−６ｄｉｏｐに対応する形状を示している。
【００９８】
【発明の効果】
以上実施の形態に基づいて説明したように、請求項１に係る発明によれば、ファインダの視度調整を行う可変形状ミラーを記憶手段で記憶された情報に応じて形状制御するように構成しているので、記憶された情報で適確に効率的に視度調整ができ、小型化並びに低消費電力化された視度調整機能付きファインダを備えた撮像機器を実現することができる。また請求項２に係る発明によれば、可変形状ミラーの複数の形状に係る情報を記憶できるので、ファインダの視度調整を複数の撮影者に対応できるように制御することができる。また請求項３に係る発明によれば、電源オンとすることにより記憶されている情報でファインダの視度調整が行われるように構成されているので、電源オン後、直ちに撮影動作に入ることができる。また請求項４に係る発明によれば、撮影可能モードにあるときに可変形状ミラーの形状制御による視度調整を行うように構成されているので、効率的な節電効果が得られる。また請求項５に係る発明によれば、非通電状態において、可変形状ミラーにより標準視度に視度調整されるように構成されているので、非通電時においても不明瞭ながらファインダ画像の視認が可能となる。また請求項６に係る発明によれば、ファインダとして光学ファインダを用いているので、低コストでより低消費電力化を図ることができる。また請求項７に係る発明によれば、ファインダの視度調整を行う可変形状ミラーが、ファインダのピント調整も行うように構成されているので、ファインダのピント調整により、より鮮明な画像を視認することができる。
【００９９】
請求項８に係る発明によれば、ファインダは複数の可変形状ミラーを備えていて、撮影系の変倍調整に応じた変倍調整を行えるように構成されているので、撮影画像の画角と一致した画角の変倍画像をファインダで視認することができる。また請求項９に係る発明によれば、ファインダを構成する複数の可変形状ミラーの形状が、それぞれ凹凸状に逆向きになるように調整されるので、ファインダの変倍画像の変倍比を大きくすることができると共に、収差の小さい変倍画像を視認することができる。また請求項１０に係る発明によれば、視度調整を行う可変形状ミラーを記憶手段で記憶された情報に応じて形状制御するように構成しているので、記憶された情報で適確に効率的に視度調整ができ、小型化並びに低消費電力化された視度調整機能付きのファインダを実現することができる。また請求項１１に係る発明によれば、非通電状態において、可変形状ミラーにより標準視度に視度調整されるように構成されているので、非通電時においても不明瞭ながら画像の視認が可能なファインダを実現できる。また請求項１２に係る発明によれば、ファインダの使用回避時にはファインダ使用時の視度と異なる不適視度になるように、可変形状ミラーを制御するように構成されているので、ファインダの使用が不適切であることの警告を与えることが可能となる。また請求項１３に係る発明によれば、マクロモード設定後やＡＦ後に撮影距離が短いときには、ファインダは不適視度になるように制御されているので、パララックスが発生した撮影を有効に防止することができる。また請求項１４に係る発明によれば、電子的ズーム手段を用いた撮影のときには、ファインダは不適視度になるように制御されるので、ファインダ画角と撮影画角とで差が発生する撮影を有効に防止することができる。
【図面の簡単な説明】
【図１】本発明に係る撮像機器の第１の実施の形態を適用したデジタルカメラの全体構成を示すブロック図である。
【図２】第１の実施の形態における撮影光学系のズーム比調整時の各ズーム比における、静電型の第１及び第２の可変形状ミラーＡ，Ｂの形状例を示す図である。
【図３】第１の実施の形態における撮影光学系の近点から遠点までのフォーカス調整における、静電型の第１の可変形状ミラーＡの形状例を示す図である。
【図４】第１の実施の形態における撮影光学系のズーム比調整時及びフォーカス調整時に、静電型の第１及び第２の可変形状ミラーＡ，Ｂに印加される電圧の特性曲線を示す図である。
【図５】第１の実施の形態におけるファインダ光学系のズーム比調整時の各ズーム比における、電磁駆動型の第３及び第４の可変形状ミラーＣ，Ｄの形状例を示す図である。
【図６】第１の実施の形態におけるファインダ光学系の近点から遠点までのフォーカス調整における、電磁駆動型の第３の可変形状ミラーＣの形状例を示す図である。
【図７】第１の実施の形態のファインダ光学系の視度調整における電磁駆動型の第３の可変形状ミラーＣの形状例を示す図である。
【図８】第１の実施の形態におけるファインダ光学系のズーム比調整時及びフォーカス調整時に、電磁駆動型の第３及び第４の可変形状ミラーＣ，Ｄに印加される電流の特性曲線を示す図である。
【図９】第１の実施の形態におけるファインダ光学系のズーム比調整時の各ズーム比における、静電型の第３及び第４の可変形状ミラーＣ，Ｄの形状例を示す図である。
【図１０】第１の実施の形態におけるファインダ光学系の近点から遠点までのフォーカス調整における、静電型の第３の可変形状ミラーＣの形状例を示す図である。
【図１１】第１の実施の形態のファインダ光学系の視度調整における静電型の第３の可変形状ミラーＣの形状例を示す図である。
【図１２】第１の実施の形態におけるファインダ光学系のズーム比調整時及びフォーカス調整時に、静電型の第３及び第４の可変形状ミラーＣ，Ｄに印加される電圧の特性曲線を示す図である。
【図１３】図１に示した第１の実施の形態に係るデジタルカメラのズーム比調整及びフォーカス調整を中心とした動作を説明するためのメインルーチンを示すフローチャートである。
【図１４】図１３に示したフローチャートにおける第１のミラー制御１のサブルーチン動作を示すフローチャートである。
【図１５】第１のミラー制御１における撮影光学系用及びファインダ光学系用可変形状ミラー（静電型）へのズーム操作時における通電態様を示すタイミングチャートである。
【図１６】図１３に示したフローチャートにおける第２のミラー制御２のサブルーチン動作を示すフローチャートである。
【図１７】第２のミラー制御２における撮影光学系用及びファインダ光学系用可変形状ミラー（静電型）への保持用通電態様を示すタイミングチャートである。
【図１８】第２のミラー制御２における撮影光学系用及びファインダ光学系用可変形状ミラー（静電型）への保持用通電の他の態様を示すタイミングチャートである。
【図１９】図１３に示したフローチャートにおけるＡＦ制御のサブルーチン動作を示すフローチャートである。
【図２０】図１に示した第１の実施の形態に係るデジタルカメラの視度調整を中心とした動作を説明するためのフローチャートである。
【図２１】本発明の第２の実施の形態に係るデジタルカメラのファインダ部を示すブロック図である。
【図２２】第２の実施の形態において、静電型の可変形状ミラーＣを用いた場合における変形形状に対応するフォーカス調整値と視度調整値との対応関係を示す図である。
【図２３】本発明の第３の実施の形態に係るデジタルカメラのファインダ部を示すブロック図である。
【図２４】第３の実施の形態において、静電型の可変形状ミラーＣを用いた場合における変形形状に対応するフォーカス調整値と視度調整値との対応関係を示す図である。
【図２５】本発明の第４の実施の形態に係るデジタルカメラのファインダ部を示すブロック図である。
【図２６】第４の実施の形態において、静電型の可変形状ミラーＣを用いた場合における変形形状と視度調整値との対応関係を示す図である。
【図２７】可変形状ミラーの構成例を示す図である。
【図２８】可変形状ミラーの他の構成例を示す図である。
【符号の説明】
１　撮影部
２　自由曲面レンズ
３　撮影光学系
４　撮像素子
５　第１のミラードライバ
６　第２のミラードライバ
１１　ファインダ部
１２　対物レンズ
１３　視野絞り
１４　ダハプリズム
１５　接眼レンズ
１６　ファインダ光学系
１７　第３のミラードライバ
１８　第４のミラードライバ
１９　瞳
２１　ＣＰＵ
２２　操作部
２３　フラッシュメモリ
２４　撮像回路
２５　ＡＦ回路
２６　ＤＲＡＭ
２７　画像処理回路
２８　画像表示部
２９　メモリカード
３１　ファインダ部
３２　第１のプリズム
３３　第２のプリズム
４１　ファインダ部
４２　入射凹レンズ
４３　移動レンズ群
４４　対物レンズ群
４５　第３のプリズム
４６　第４のプリズム
４７　レンズ駆動部
５１　ファインダ部
５２　表示部
Ａ　第１の可変形状ミラー
Ｂ　第２の可変形状ミラー
Ｃ　第３の可変形状ミラー
Ｄ　第４の可変形状ミラー
【図１】
2004126101.tif 000004
【図２】
2004126101.tif 000005
【図３】
2004126101.tif 000006
【図４】
2004126101.tif 000007
【図５】
2004126101.tif 000008
【図６】
2004126101.tif 000009
【図７】
2004126101.tif 000010
【図８】
2004126101.tif 000011
【図９】
2004126101.tif 000012
【図１０】
2004126101.tif 000013
【図１１】
2004126101.tif 000014
【図１２】
2004126101.tif 000015
【図１３】
2004126101.tif 000016
【図１４】
2004126101.tif 000017
【図１５】
2004126101.tif 000018
【図１６】
2004126101.tif 000019
【図１７】
2004126101.tif 000020
【図１８】
2004126101.tif 000021
【図１９】
2004126101.tif 000022
【図２０】
2004126101.tif 000023
【図２１】
2004126101.tif 000024
【図２２】
2004126101.tif 000025
【図２３】
2004126101.tif 000026
【図２４】
2004126101.tif 000027
【図２５】
2004126101.tif 000028
【図２６】
2004126101.tif 000029
【図２７】
2004126101.tif 000030
【図２８】
2004126101.tif 000031